(57)【要約】      （修正有）【課題】構造が単純化され、ひいてはより低コストの製造が可能である締付け−解除ユニットを提供する。【解決手段】締付け−解除ユニット１は、ベースボディ２を備え、ベースボディ内で、シリンダ室３に、ロッド５に作用するように設けられたピストン４が圧力媒体作動式にシフト可能に配置されている。少なくとも１つの第１の反発要素６が設けられており、第１の反発要素６は、第１の反発要素６に対応して配置された第２の反発要素７の対偶の間に配置されており、少なくとも第１の反発要素６は、ロッド５またはピストン４の環状鍔部９に形成されており、第２の反発要素７の対偶は、ピストン４またはロッド５の別の部分に形成されている。【選択図】図３
2018015893.tif 000002
【特許請求の範囲】
【請求項１】
締付け−解除ユニットであって、
ベースボディ（２）を備え、該ベースボディ（２）内で、シリンダ室（３）に、ロッド（５）に作用するように設けられたピストン（４）が、圧力媒体作動式にシフト可能に配置されている、締付け−解除ユニットにおいて、
１つの第１の反発要素（６）が設けられており、該第１の反発要素（６）は、前記第１の反発要素（６）に対応して配置された第２の反発要素（７）の対偶の間に配置されており、前記第１の反発要素（６）は、前記ロッド（５）または前記ピストン（４）の環状鍔部（９）に形成されており、前記第２の反発要素（７）の対偶は、前記ピストン（４）または前記ロッド（５）の別の部分に形成されていることを特徴とする、締付け−解除ユニット。
【請求項２】
前記第１の反発要素（６）は、１つの磁石により形成されており、前記第２の反発要素（７）は、２つの磁石により形成されており、前記第１の反発要素（６）に対する前記第２の反発要素（７）の配置は、同一の極が向き合うように成されている、請求項１記載の締付け−解除ユニット。
【請求項３】
前記第１の反発要素（６）および／または前記第２の反発要素（７）は、永久磁石により形成されている、請求項２記載の締付け−解除ユニット。
【請求項４】
前記磁石は、環状に形成されている、請求項２または３記載の締付け−解除ユニット。
【請求項５】
前記第１の反発要素（６）、および前記第１の反発要素（６）に対応して配置された前記第２の反発要素（７）の対偶は、周にわたって均等に分配された配置で多重に設けられている、請求項１から３までのいずれか１項記載の締付け−解除ユニット。
【請求項６】
前記第１の反発要素（６）は、第１の電荷を有する電極により形成されており、前記第２の反発要素（７）の対偶は、第１の電極に対して同一の電荷を有する２つの電極により形成されている、請求項１記載の締付け−解除ユニット。
【発明の詳細な説明】
【技術分野】
【０００１】
本発明は、締付け−解除ユニットであって、ベースボディを備え、ベースボディ内で、シリンダ室に、ロッドに作用するように設けられたピストンが圧力媒体作動式にシフト可能に配置されている、締付け−解除ユニットに関する。
【０００２】
ＨＳＫクランピングセットと作動ロッドとの間の結合部材としてのロックシステムが、実地において知られていて、たとえば独国特許出願公開第１０２００５０４９３７７号明細書（DE 10 2005 049 377 A1）に記述されている。このロックシステムでは、従来慣用のばねセットが余剰であり、これを省略することができる。というのも、締付け位置でのロッドの軸方向位置が、セルフロックにより固定されているからある。しかし、これに伴う利点は、締付け時にロッドをセルフロックが与えられた位置にシフトさせるために、従来慣用の解除ユニットを使用することができず、その代わりに締付け−解除ユニットが必要であることにより得なければならず、その他の位置では、セルフロックを克服しつつ、従来慣用の解除ユニットの場合のように、解除に相当する方向でのロッドのシフトが可能である。締付け−解除ユニットのベースボディが定位置である一方、ロッドは、ＨＳＫクランピングセットと一緒に回動するので、動作に関して、ロッドがベースボディに対して自由に回動できることが保証されなければならない。
【０００３】
このような要求を満たす、公知先行技術から知られた締付け−解除ユニットが図６に示されており、この締付け−解除ユニットは、ツインピストンシリンダとして構成されていて、機械制御のために追加的な制御ラインが必要とされ、これにより、規定通りの動作が保証される。
【０００４】
本発明の課題は、冒頭で述べたような締付け−解除ユニットを、構造が単純化され、ひいてはより低コストの製造が可能であるように構成することである。
【０００５】
この課題は、冒頭で述べたような締付け−解除ユニットにおいて、少なくとも１つの第１の反発要素が設けられており、第１の反発要素は、第１の反発要素に対応して配置された第２の反発要素の対偶の間に配置されており、第１の反発要素は、ロッドまたはピストンの環状鍔部に形成されており、第２の反発要素の対偶は、ピストンまたはロッドの別の部分に形成されていることにより解決される。
【０００６】
本発明に係る締付け−解除ユニットは、従来慣用の解除ユニットに対してそれ自体の複雑性がほとんど高められておらず、締付けおよび解除の動作状態へのロッドのシフトを専らピストンにより行うことができることを特徴としている。加工の動作状態に対して、ピストンを無圧に切り換えることができ、この場合、反発要素の相互作用により、ロッドは、定位置の回動しない構成部分の壁部に対する接触を有しない中間位置を占める。この場合、対偶を成して配置された２つの第２の反発要素により第１の反発要素を囲むことにより、ロッドの両方のシフト方向での反発が行われ、これにより、第２の反発要素を支持する構成部分の壁部から均等な間隔を置いた中間位置が保証されることに留意すべきである。
【０００７】
本発明の範囲内でとりわけ格別に好適には、第１の反発要素が、１つの磁石により形成されており、第２の反発要素が、２つの磁石により形成されており、第１の反発要素に対する第２の反発要素の配置が、同一の極が向き合うように成されている。この場合、とりわけ格別に有利には、第１の反発要素および／または第２の反発要素は、永久磁石により形成されている。このような配置により、簡単に、第１の反発要素と第２の反発要素との間の所望の反発作用を持続的に得ることができ、磁石が常にＮ極およびＳ極を有して存在することが利用されるので、第２の反発要素のＮ極が第１の反発要素のＮ極の方を向くことができ、第１の反発要素のＳ極が別の第２の反発要素のＳ極に対向することができる。
【０００８】
さらに好適には、磁石が、環状に形成されている。ロッドが規定通りにベースボディおよびピストンに対向して回動するはずなので、これにより、ピストンまたはベースボディに対するロッドの回動位置に依存せずに、第１の反発要素と第２の反発要素の対偶との対向が保証されている。
【０００９】
択一的に、第１の反発要素、および第１の反発要素に対応して配置された第２の反発要素の対偶を、周にわたって均等に分配された配置で多重に設けることも可能である。この場合、数は、ロッドのあらゆる回動位置で第１の反発要素が第２の反発要素の作用にさらされるように適合されている。
【００１０】
原則として、磁石を使用する代わりに、第１の反発要素が、第１の電荷を有する電極により形成されており、第２の反発要素の対偶が、第１の電極に対して同一の電荷を有する２つの電極により形成されている可能性も存在する。このような態様により、同様に確実に、所望の反発作用を静電力の作用により得ることができ、この場合、特に、ロッドに対応して配置された電極を持続的に帯電して用意する一方、別の電極を必要に応じて帯電しかつ放電し、特に電荷の高さに関して、作用する力の大きさに影響を及ぼすこともできる可能性も存在する。
【００１１】
以下、本発明を、図示された実施の態様に基づいて詳説する。
【図面の簡単な説明】
【００１２】
【図１】本発明に係る締付け−解除ユニットの正面図を示す。
【図２】図１のＡ−Ａ断面に基づく、公知先行技術において知られた解除ユニットを示す。
【図３】図１のＡ−Ａ断面に基づく、本発明に係る締付け−解除ユニットを解除位置で示す。
【図４】図３の締付け−解除ユニットを締付け位置で示す。
【図５】図３の締付け−解除ユニットを中立位置で示す。
【図６】ツインピストンシリンダとして構成された、公知先行技術において公知の締付け−解除ユニットの断面図を示す。
【００１３】
図面において、図１および図３〜図５には、本発明に係る締付け−解除ユニット１が示されており、締付け−解除ユニット１は、ベースボディ２を備え、ベースボディ２内で、シリンダ室３に、ロッド５に作用するように設けられたピストン４が圧力媒体作動式にシフト可能に配置されている。図示の実施の態様では、ロッド５に対応して第１の反発要素６が配置されており、第１の反発要素６は、第２の反発要素７の対偶の間に配置されており、第２の反発要素７は、ピストン４またはピストン４の伸長部８に対応して配置されている。さらに看取されるように、第１の反発要素６は、ロッド５の環状鍔部９に配置されているので、軸方向を向いた２つの面が提供され、これらの面に対向して、第２の反発要素７が配置されてよい。
【００１４】
図示の実施の態様では、第１の反発要素６は、磁石、つまり永久磁石により形成されており、第２の反発要素７も同様に、磁石、つまり永久磁石により形成されている。この場合、第１の反発要素６に対する第２の反発要素７の配置は、同一の極が対向するように成されている。図面において、本実施の態様に関して、ロッド５の環状鍔部９に設けられた第１の反発要素６のＮ極１０がピストン４の方を向いていることが看取される。これに即して、ピストン側の第２の反発要素７のＮ極１０は、第１の反発要素６の方へ向けられている一方、環状鍔部９の、ピストン４とは反対の側にある第２の反発要素７のＳ極１１は、第１の反発要素６のＳ極１１の方へ向けられている。
【００１５】
図示の実施の態様の場合、磁石は、環状に形成されている。もちろん択一的に、第１の反発要素６、および第１の反発要素６に対応して配置された第２の反発要素７の対偶を、ピストン４またはロッド５の軸線を中心とする周にわたって均等に分配された配置で多重に設けることも可能である。
【００１６】
図３は、締付け−解除ユニット１の解除位置を示しており、解除位置では、圧力媒体により、ピストン４が、セルフロックを克服するための力伝達がロッド５との直接の接触により行われるように、シフトされている。
【００１７】
図４は、締付け位置を示しており、締付け位置では、締付け手段のセルフロックを形成するために、同様にピストン４とロッド５との間の直接の接触が生じる。解除位置でも締付け位置でも、ピストン４を加圧する圧力媒体が、磁石の反発力を上回る。
【００１８】
図５は、ピストン４が無圧に切り換えられている中立位置を示している。磁石は、定位置の部分の壁部に対する接触が形成されておらず、ゆえにロッド５が回動可能である、ロッド５の位置をもたらす。
【００１９】
本発明に係る図３の締付け−解除ユニット１と従来慣用の図２の解除ユニット１２との比較により、基本的に同一の構造が存在し、ピストン４に対応して第２の反発要素７の支持体としてアダプタ部材を配置しなければならないので、単純な解除ユニット１２に対して複雑性がほんの少しだけ高められていることが示されている。これにより、既知の解除ユニット１２に対して簡単に変更および後付けを行うことができるので、ばねセットを有しないロックシステムへと交換する際に、既存の解除ユニット１２を引き続き使用して、本発明に係る態様の締付け−解除ユニット１へと変更することができる可能性も得られる。
【符号の説明】
【００２０】
１  締付け−解除ユニット
２  ベースボディ
３  シリンダ室
４  ピストン
５  ロッド
６  第１の反発要素
７  第２の反発要素
８  伸長部
９  環状鍔部
１０  Ｎ極
１１  Ｓ極
１２  解除ユニット
【図１】
2018015893.tif 000003
【図２】
2018015893.tif 000004
【図３】
2018015893.tif 000005
【図４】
2018015893.tif 000006
【図５】
2018015893.tif 000007
【図６】
2018015893.tif 000008